(57)【要約】【課題】バルブメンテナンス作業の安全性を向上させる。【解決手段】作業支援装置は、メンテナンスの候補となり得る各バルブの注意事項として、バルブを流れる化学物質の名称あるいはＩＤを記憶する注意事項記憶部２と、各バルブが設けられた流路の情報を記憶する流路情報記憶部３と、対象バルブＩＤ入力部４から入力されたメンテナンス対象のバルブのＩＤに対応する注意事項を注意事項記憶部２から取得する第１注意事項照会部５と、入力されたバルブのＩＤと流路情報記憶部３の情報に基づいて、入力されたＩＤで特定されるバルブと同じ流路に設置された別のバルブのＩＤを抽出する系統確認部６と、抽出したバルブのＩＤに対応する注意事項を注意事項記憶部２から取得する第２注意事項照会部７と、第１、第２注意事項照会部５，７が取得した注意事項を提示する注意事項提示部８を備える。【選択図】  図１
2018036936.tif 000002
【特許請求の範囲】
【請求項１】
メンテナンスの候補となり得る各バルブの注意事項として、バルブを流れる化学物質の名称あるいはＩＤをバルブのＩＤ毎に予め記憶する注意事項記憶手段と、
メンテナンス対象のバルブのＩＤをオペレータが入力するための対象バルブＩＤ入力手段と、
この対象バルブＩＤ入力手段から入力されたバルブのＩＤに対応する注意事項を前記注意事項記憶手段から取得する第１注意事項照会手段と、
この第１注意事項照会手段が取得したバルブの注意事項を提示する注意事項提示手段とを備えることを特徴とする作業支援装置。
【請求項２】
請求項１記載の作業支援装置において、
さらに、各バルブが設けられた流路の情報として、流路のＩＤをバルブのＩＤ毎に予め記憶する流路情報記憶手段と、
前記対象バルブＩＤ入力手段から入力されたバルブのＩＤと前記流路情報記憶手段に記憶されている情報とに基づいて、入力されたＩＤで特定されるバルブと同じ流路に設置されている別のバルブのＩＤを抽出する系統確認手段と、
この系統確認手段が抽出したバルブのＩＤに対応する注意事項を前記注意事項記憶手段から取得する第２注意事項照会手段とを備え、
前記注意事項提示手段は、注意事項が登録されていないと前記第１注意事項照会手段が判断したバルブに対して、このバルブと同じ流路に設置されている別のバルブの注意事項を前記第２注意事項照会手段が取得した場合には、前記第１注意事項照会手段が取得したバルブの注意事項を提示すると同時に、前記第２注意事項照会手段が取得した注意事項を、注意事項が登録されていないと前記第１注意事項照会手段が判断したバルブの注意事項として提示することを特徴とする作業支援装置。
【請求項３】
請求項１または２記載の作業支援装置において、
さらに、メンテナンスの候補となり得る複数のバルブのＩＤを予め記憶するバルブＩＤ記憶手段と、
オペレータがメンテナンス対象のバルブのＩＤを入力する前に、前記バルブＩＤ記憶手段を参照し、このバルブＩＤ記憶手段から読み出したバルブのＩＤを、メンテナンスの候補として提示するバルブＩＤ選択肢提示手段とを備えることを特徴とする作業支援装置。
【請求項４】
メンテナンス対象のバルブのＩＤをオペレータから受け付ける対象バルブＩＤ入力ステップと、
各バルブの注意事項として、バルブを流れる化学物質の名称あるいはＩＤをバルブのＩＤ毎に予め記憶する注意事項記憶手段を参照し、前記対象バルブＩＤ入力ステップで入力されたバルブのＩＤに対応する注意事項を前記注意事項記憶手段から取得する第１注意事項照会ステップと、
この第１注意事項照会ステップで取得したバルブの注意事項を提示する注意事項提示ステップとを含むことを特徴とする作業支援方法。
【請求項５】
請求項４記載の作業支援方法において、
さらに、各バルブが設けられた流路の情報として、流路のＩＤをバルブのＩＤ毎に予め記憶する流路情報記憶手段を参照し、前記対象バルブＩＤ入力ステップで入力されたバルブのＩＤと前記流路情報記憶手段に記憶されている情報とに基づいて、入力されたＩＤで特定されるバルブと同じ流路に設置されている別のバルブのＩＤを抽出する系統確認ステップと、
この系統確認ステップで抽出したバルブのＩＤに対応する注意事項を前記注意事項記憶手段から取得する第２注意事項照会ステップとを含み、
前記注意事項提示ステップは、注意事項が登録されていないと前記第１注意事項照会ステップで判断したバルブに対して、このバルブと同じ流路に設置されている別のバルブの注意事項を前記第２注意事項照会ステップで取得した場合には、前記第１注意事項照会ステップで取得したバルブの注意事項を提示すると同時に、前記第２注意事項照会ステップで取得した注意事項を、注意事項が登録されていないと前記第１注意事項照会ステップで判断したバルブの注意事項として提示するステップを含むことを特徴とする作業支援方法。
【請求項６】
請求項４または５記載の作業支援方法において、
さらに、オペレータがメンテナンス対象のバルブのＩＤを入力する前に、メンテナンスの候補となり得る複数のバルブのＩＤを予め記憶するバルブＩＤ記憶手段を参照し、このバルブＩＤ記憶手段から読み出したバルブのＩＤを、メンテナンスの候補として提示するバルブＩＤ選択肢提示ステップを含むことを特徴とする作業支援方法。
【発明の詳細な説明】
【技術分野】
【０００１】
本発明は、メンテナンス作業を支援する技術に係り、特にバルブメンテナンスの安全な作業のための支援を実現する作業支援装置および方法に関するものである。
【背景技術】
【０００２】
石油、化学系のプラントでは多数のバルブが使用されており、定期的なメンテナンスの際には、多数のバルブ（例えば図６のコントロールバルブ）が整備対象の候補になる。図６に示すコントロールバルブは、流体の流れる通路を開閉するバルブ本体１００と、入力電気信号を空気圧に変換するポジショナ１０１と、ポジショナ１０１から供給される空気圧に応じてバルブ本体１００を操作する操作器１０２とから構成される。
【０００３】
図６に示したようなバルブが多数設置されているプラントでは、多数のバルブを効率良くメンテナンスする必要があり、バルブメンテナンスの必要性を判断するための支援技術が提案されている（特許文献１参照）。特許文献１に開示された技術は、最近のメンテナンス実施日から経過した日数、最近のパッキン交換後から累積したバルブの摺動距離、スティックスリップの発生頻度、ステップ応答特性などに基づいてメンテナンス候補のバルブを選定する技術である。定期的なメンテナンスは、老朽化のような避けられない不具合を回避するために必要である。
【先行技術文献】
【特許文献】
【０００４】
【特許文献１】特開２０１３−１９１００２号公報
【発明の概要】
【発明が解決しようとする課題】
【０００５】
特許文献１に開示されたバルブ選定装置によれば、バルブ選定手順の効率化・明確化を実現することができる。しかし、メンテナンス候補のバルブを選定する作業だけでなく、バルブメンテナンス作業自体、専門知識や技術を必要とするものである。また、石油、化学系のプラントでは多数のバルブがメンテナンス候補になるわけであるが、あらゆるバルブが同じ条件の下で動作しているわけではないので、多くの条件に対応するために、専門知識の広さも要求される。このように考えると、単にバルブのメンテナンス結果の良／不良が留意点になるだけではなく、メンテナンス作業の効率や安全性も重要な留意点になってくる。
このような観点から、特にバルブメンテナンス作業自体の安全面の支援について、改善が求められている。
【０００６】
本発明は、上記課題を解決するためになされたもので、バルブメンテナンス作業の安全性を向上させることができる作業支援装置および方法を提供することを目的とする。
【課題を解決するための手段】
【０００７】
本発明の作業支援装置は、メンテナンスの候補となり得る各バルブの注意事項として、バルブを流れる化学物質の名称あるいはＩＤをバルブのＩＤ毎に予め記憶する注意事項記憶手段と、メンテナンス対象のバルブのＩＤをオペレータが入力するための対象バルブＩＤ入力手段と、この対象バルブＩＤ入力手段から入力されたバルブのＩＤに対応する注意事項を前記注意事項記憶手段から取得する第１注意事項照会手段と、この第１注意事項照会手段が取得したバルブの注意事項を提示する注意事項提示手段とを備えることを特徴とするものである。
【０００８】
また、本発明の作業支援装置の１構成例は、さらに、各バルブが設けられた流路の情報として、流路のＩＤをバルブのＩＤ毎に予め記憶する流路情報記憶手段と、前記対象バルブＩＤ入力手段から入力されたバルブのＩＤと前記流路情報記憶手段に記憶されている情報とに基づいて、入力されたＩＤで特定されるバルブと同じ流路に設置されている別のバルブのＩＤを抽出する系統確認手段と、この系統確認手段が抽出したバルブのＩＤに対応する注意事項を前記注意事項記憶手段から取得する第２注意事項照会手段とを備え、前記注意事項提示手段は、注意事項が登録されていないと前記第１注意事項照会手段が判断したバルブに対して、このバルブと同じ流路に設置されている別のバルブの注意事項を前記第２注意事項照会手段が取得した場合には、前記第１注意事項照会手段が取得したバルブの注意事項を提示すると同時に、前記第２注意事項照会手段が取得した注意事項を、注意事項が登録されていないと前記第１注意事項照会手段が判断したバルブの注意事項として提示することを特徴とするものである。
【０００９】
また、本発明の作業支援装置の１構成例は、さらに、メンテナンスの候補となり得る複数のバルブのＩＤを予め記憶するバルブＩＤ記憶手段と、オペレータがメンテナンス対象のバルブのＩＤを入力する前に、前記バルブＩＤ記憶手段を参照し、このバルブＩＤ記憶手段から読み出したバルブのＩＤを、メンテナンスの候補として提示するバルブＩＤ選択肢提示手段とを備えることを特徴とするものである。
【００１０】
また、本発明の作業支援方法は、メンテナンス対象のバルブのＩＤをオペレータから受け付ける対象バルブＩＤ入力ステップと、各バルブの注意事項として、バルブを流れる化学物質の名称あるいはＩＤをバルブのＩＤ毎に予め記憶する注意事項記憶手段を参照し、前記対象バルブＩＤ入力ステップで入力されたバルブのＩＤに対応する注意事項を前記注意事項記憶手段から取得する第１注意事項照会ステップと、この第１注意事項照会ステップで取得したバルブの注意事項を提示する注意事項提示ステップとを含むことを特徴とするものである。
【発明の効果】
【００１１】
本発明によれば、メンテナンスの候補となり得る各バルブの注意事項として、バルブを流れる化学物質の名称あるいはＩＤを注意事項記憶手段に予め登録しておき、オペレータが入力したメンテナンス対象のバルブのＩＤに対応する注意事項を第１注意事項照会手段が注意事項記憶手段から取得して、この注意事項を注意事項提示手段が提示することにより、オペレータ（作業担当者）に対する、バルブメンテナンスの安全な作業のための支援を実現することができる。
【００１２】
また、本発明では、オペレータが入力したバルブのＩＤと流路情報記憶手段に記憶されている情報とに基づいて、入力されたＩＤで特定されるバルブと同じ流路に設置されている別のバルブのＩＤを抽出し、この抽出したバルブのＩＤに対応する注意事項を第２注意事項照会手段が注意事項記憶手段から取得し、注意事項が登録されていないと第１注意事項照会手段が判断したバルブに対して、このバルブと同じ流路に設置されている別のバルブの注意事項を第２注意事項照会手段が取得した場合には、第２注意事項照会手段が取得した注意事項を、注意事項が登録されていないと第１注意事項照会手段が判断したバルブの注意事項として提示することにより、オペレータに対して注意を喚起する警報を出すことができ、より安全な作業のための支援を実現することができる。
【図面の簡単な説明】
【００１３】
【図１】本発明の第１の実施の形態に係る作業支援装置の構成を示すブロック図である。
【図２】本発明の第１の実施の形態に係る作業支援装置の動作を説明するフローチャートである。
【図３】メンテナンス対象のプラントのバルブ配置の１例を示すフロー図である。
【図４】本発明の第１の実施の形態に係る作業支援装置の注意事項提示部による注意事項の提示例を示す図である。
【図５】本発明の第２の実施の形態に係るプラントとその機器管理システムの構成を示す図である。
【図６】コントロールバルブの１例を示す図である。
【発明を実施するための形態】
【００１４】
［発明の原理１］
発明者は、バルブが流量制御する薬品の種類によっては、メンテナンス時に、当該バルブの十分な除害（洗浄）を予め行なう必要がある点に着眼した。すなわち、多数のバルブが同時にメンテナンス対象になる場合は、洗浄すべきバルブの見落としが発生し易くなる。したがって、発明者は、機器管理システムにメンテナンス時の注意事項も登録しておき、メンテナンス時に参照できるようにするのが得策であることに想到した。
【００１５】
［発明の原理２］
同系統の流路に複数のバルブが設置されている場合は、薬品に関するメンテナンス時の注意事項は、原則的に同じになるはずである。このような原則に基づき、発明者は、流路情報を利用することで、安全面の支援となる情報登録の整合を自動的に確認できることに想到した。例えば、同じ薬品が流れるはずの流路に設置されていながら、注意を要する薬品が登録されているバルブと、登録されてないバルブがある場合には、登録されてないバルブについても注意を喚起する警報を出すのが好ましい。このような警報機能を設けることにより、より安全な作業のための支援を実現することができる。
【００１６】
［第１の実施の形態］
以下、本発明の実施の形態について図面を参照して説明する。図１は本発明の第１の実施の形態に係る作業支援装置の構成を示すブロック図である。本実施の形態は、上記発明の原理１、発明の原理２に対応する例である。ここでは、説明を簡潔にするため、バルブのＩＤ（識別情報）の事例などは、実際のプラントで利用されるものよりもシンプルなものにする。
【００１７】
作業支援装置は、メンテナンスの候補となり得る複数のバルブのＩＤを予め記憶するバルブＩＤ記憶部１と、メンテナンスの候補となり得る各バルブの注意事項として、バルブを流れる化学物質の名称あるいはＩＤをバルブのＩＤ毎に予め記憶する注意事項記憶部２と、各バルブが設けられた流路の情報として、流路のＩＤをバルブのＩＤ毎に予め記憶する流路情報記憶部３と、メンテナンス対象のバルブのＩＤをオペレータが入力するための対象バルブＩＤ入力部４と、対象バルブＩＤ入力部４から入力されたバルブのＩＤに対応する注意事項を注意事項記憶部２から取得する第１注意事項照会部５と、対象バルブＩＤ入力部４から入力されたバルブのＩＤと流路情報記憶部３に記憶されている情報とに基づいて、入力されたＩＤで特定されるバルブと同じ流路に設置されている別のバルブのＩＤを抽出する系統確認部６と、系統確認部６が抽出したバルブのＩＤに対応する注意事項を注意事項記憶部２から取得する第２注意事項照会部７と、第１、第２注意事項照会部５，７が取得した注意事項を提示する注意事項提示部８と、オペレータがメンテナンス対象のバルブのＩＤを入力する前に、バルブＩＤ記憶部１から読み出したバルブのＩＤを、メンテナンスの候補として提示するバルブＩＤ選択肢提示部９とを備えている。
【００１８】
注意を要する洗浄対象の化学物質（ガス）としては、例えばホスゲン（Phosgene）や農薬などがある。ホスゲンは、炭素と酸素と塩素の化合物であり、二塩化カルボニルとも呼ばれる。分子式はＣＯＣｌ2で、ホルムアルデヒドの水素原子２つを塩素原子で置き換えた構造を持つ。ホスゲンは、毒性の高い気体であり、毒物及び劇物取締法により毒物に指定されている。
【００１９】
図２は本実施の形態の作業支援装置の動作を説明するフローチャートである。最初に、バルブＩＤ選択肢提示部９は、バルブＩＤ記憶部１から読み出したバルブのＩＤを、メンテナンスの候補としてオペレータに対して提示する（図２ステップＳ１）。
【００２０】
オペレータは、メンテナンス対象のバルブが確定したときに、該当するバルブのＩＤを、対象バルブＩＤ入力部４を介して入力する（図２ステップＳ２）。例えば、プラント内にバルブが２６個あるとして、これら２６個のバルブにそれぞれ“Ａ”，“Ｂ”，“Ｃ”，・・・，“Ｍ”，・・・，“Ｘ”，“Ｙ”，“Ｚ”という固有のＩＤが予め割り当てられているものとする。バルブＡ，Ｂ，Ｃをメンテナンス対象として選定した場合、オペレータはバルブＩＤとして“Ａ”，“Ｂ”，“Ｃ”を入力する。
なお、メンテナンス対象のバルブは適宜選定すればよく、特許文献１に開示された技術を利用して選定してもよいし、別の手法で選定してもよい。
【００２１】
図３はメンテナンス対象のプラントのバルブ配置の１例を示すフロー図である。本実施の形態では、バルブＩＤ“Ａ”，“Ｍ”のバルブ１０−Ａ，１０−Ｍが流路ＩＤ“１”の流路１１−１に配設され、バルブＩＤ“Ｃ”のバルブ１０−Ｃが流路ＩＤ“３”の流路１１−３に配設されているものとする。図３における１２−Ａ，１２−Ｃ，１２−Ｍは流量計測器、１３はタンク、１４は圧力発信器である。なお、図３では、バルブＩＤが“Ａ”，“Ｃ”，“Ｍ”以外のバルブについては記載を省略している。
【００２２】
注意事項記憶部２には、プラントの各バルブの注意事項として、バルブを流れる薬品などの化学物質の名称あるいはＩＤがバルブのＩＤ毎に予め登録されている。
第１注意事項照会部５は、対象バルブＩＤ入力部４からメンテナンス対象のバルブのＩＤが入力されると、注意事項記憶部２を参照し、入力されたバルブＩＤに対応する注意事項を注意事項記憶部２から取得する（図２ステップＳ３）。
【００２３】
例えば、注意事項記憶部２に、バルブＩＤ“Ａ”，“Ｃ”に対応する注意事項が登録されておらず、バルブＩＤ“Ｂ”，“Ｄ”，“Ｍ”に対応する注意事項として“ホスゲン”が登録されていた場合、第１注意事項照会部５は、対象バルブＩＤ入力部４から入力されたバルブＩＤ“Ａ”，“Ｂ”，“Ｃ”のうちＩＤ“Ｂ”に対応する注意事項として“ホスゲン”を取得する。また、第１注意事項照会部５は、バルブＩＤ“Ａ”，“Ｃ”のバルブについては、注意事項が登録されていないと判断する。
【００２４】
流路情報記憶部３には、バルブが設けられた流路の情報として、流路のＩＤがバルブのＩＤ毎に予め登録されている。
系統確認部６は、対象バルブＩＤ入力部４から入力されたバルブＩＤと流路情報記憶部３に登録されている情報とに基づいて、入力されたバルブＩＤで特定されるバルブと同じ流路に設置されている別のバルブのＩＤを抽出する（図２ステップＳ４）。
【００２５】
例えば、流路情報記憶部３に、バルブＩＤ“Ａ”に対応する流路情報として流路ＩＤ“１”が登録され、バルブＩＤ“Ｂ”に対応する流路情報として流路ＩＤ“２”が登録され、バルブＩＤ“Ｃ”に対応する流路情報として流路ＩＤ“３”が登録され、バルブＩＤ“Ｍ”に対応する流路情報として流路ＩＤ“１”が登録されていた場合、系統確認部６は、入力されたバルブＩＤ“Ａ”のバルブと同じ流路に設置されている別のバルブのＩＤとして“Ｍ”を取得する。
【００２６】
第２注意事項照会部７は、注意事項記憶部２を参照し、系統確認部６が抽出したバルブＩＤに対応する注意事項を注意事項記憶部２から取得する（図２ステップＳ５）。上記のとおり、注意事項記憶部２に、バルブＩＤ“Ｂ”，“Ｄ”，“Ｍ”に対応する注意事項として“ホスゲン”が登録されていた場合、第２注意事項照会部７は、系統確認部６が抽出したバルブＩＤ“Ｍ”に対応する注意事項として“ホスゲン”を取得する。
【００２７】
注意事項提示部８は、第１注意事項照会部５が取得したバルブの注意事項を提示（表示）する（図２ステップＳ６）。このとき、注意事項提示部８は、注意事項が登録されていないと第１注意事項照会部５が判断したバルブに対して、このバルブと同じ流路に設置されている別のバルブの注意事項を第２注意事項照会部７が取得した場合、第１注意事項照会部５が取得したバルブの注意事項を提示すると同時に、第２注意事項照会部７が取得した注意事項を、注意事項が登録されていないと第１注意事項照会部５が判断したバルブの注意事項として提示する。
【００２８】
図４は注意事項提示部８による注意事項の提示例を示す図である。図４の例では、画面４０に、第１注意事項照会部５が取得したバルブの注意事項とそのバルブのＩＤ“Ｂ”とが表示されると共に、第２注意事項照会部７が取得した注意事項が、注意事項が登録されていないと第１注意事項照会部５が判断したバルブＩＤ“Ａ”のバルブの注意事項として表示されている。
【００２９】
このとき、バルブＩＤ“Ａ”のバルブの注意事項は、このバルブと同系統の流路に設置されたバルブＩＤ“Ｍ”のバルブの注意事項として抽出されたものであることが、オペレータに認識できるように表示されるのが好ましい。つまり、バルブＩＤ“Ｍ”のバルブに関しては注意事項記憶部２に注意事項が登録されているにも拘わらず、このバルブと同系統の流路に設置されたバルブＩＤ“Ａ”のバルブに関しては注意事項記憶部２に注意事項が登録されていないので、バルブＩＤ“Ａ”のバルブに関する注意事項が、注意事項記憶部２に登録され損なっている危険性があるものとして扱う必要がある。図４の例では、「※バルブ“Ｍ”と同系統による」と表示している。これにより、注意事項記憶部２の情報を点検するようにオペレータに促すことができる。
【００３０】
［第２の実施の形態］
次に、本発明の第２の実施の形態について説明する。本実施の形態は、第１の実施の形態の実装例を説明するものである。図５はプラントとその機器管理システムの構成を示す図であり、図３と同一の構成には同一の符号を付してある。
【００３１】
石油、化学系のプラントには、そのプラントの各機器を制御・管理する機器管理システム１５が設けられている。第１の実施の形態で説明したバルブＩＤ記憶部１と注意事項記憶部２と流路情報記憶部３については、プラント固有の情報を扱うので、機器管理システム１５の記憶装置（データベース）に実装されることが好ましい。
【００３２】
一方、対象バルブＩＤ入力部４と第１注意事項照会部５と系統確認部６と第２注意事項照会部７と注意事項提示部８とバルブＩＤ選択肢提示部９とは、原則的にバルブのメンテナンス時のみ必要な処理を提供するものである。また、メンテナンス実施者（メンテナンス受託企業の作業担当者）は、プラントオーナ企業から委託されてプラントのメンテナンスを実施するのが一般的である。したがって、不特定多数のプラントを対象にすることを想定して、メンテナンス受託企業の作業担当者（オペレータ）が持ち歩く携帯型のコンピュータ１６に、対象バルブＩＤ入力部４と第１注意事項照会部５と系統確認部６と第２注意事項照会部７と注意事項提示部８とバルブＩＤ選択肢提示部９とを実装することが好ましい。
【００３３】
コンピュータ１６は、ＣＰＵ（Central Processing Unit）とメモリとインタフェースとを備えている。プラントの機器管理システム１５とコンピュータ１６とは、メンテナンス作業実施時にイーサネット（登録商標）などの通信機能を利用して一時的に接続される。
オペレータがコンピュータ１６上のアプリケーションソフトウエアを起動すると、コンピュータ１６のＣＰＵは、メモリに格納されたプログラムに従って処理を実行し、対象バルブＩＤ入力部４と第１注意事項照会部５と系統確認部６と第２注意事項照会部７と注意事項提示部８とバルブＩＤ選択肢提示部９としての機能を実現する。
【００３４】
バルブＩＤ選択肢提示部９は、起動時の処理として、機器管理システム１５上のバルブＩＤ記憶部１からバルブのＩＤを読み込み、読み込んだバルブのＩＤを、メンテナンスの候補としてコンピュータ１６のディスプレイに表示する（図２ステップＳ１）。
【００３５】
オペレータは、コンピュータ１６を操作して、表示されたバルブのＩＤの中からメンテナンス対象のバルブのＩＤを選択する。この場合、コンピュータ１６のＣＰＵは、入力装置（例えばマウス）とディスプレイというユーザインタフェースを用いて、オペレータからの入力を受け付ける対象バルブＩＤ入力部４として機能することになる（図２ステップＳ２）。
【００３６】
そして、コンピュータ１６のＣＰＵは、図２のステップＳ３〜Ｓ６で説明した処理を実行する。これにより、コンピュータ１６のディスプレイには、図４に示したような注意事項が表示される。オペレータは、表示された注意事項を確認した後で、コンピュータ１６と機器管理システム１５との接続を解除する。
こうして、第１の実施の形態で説明した作業支援装置を実際のプラントに適用することができる。
【産業上の利用可能性】
【００３７】
本発明は、バルブメンテナンス作業を支援する技術に適用することができる。
【符号の説明】
【００３８】
１…バルブＩＤ記憶部、２…注意事項記憶部、３…流路情報記憶部、４…対象バルブＩＤ入力部、５…第１注意事項照会部、６…系統確認部、７…第２注意事項照会部、８…注意事項提示部、９…バルブＩＤ選択肢提示部、１０−Ａ，１０−Ｃ，１０−Ｍ…バルブ、１１−１，１１−３…流路、１２−Ａ，１２−Ｃ，１２−Ｍ…流量計測器、１３…タンク、１４…圧力発信器、１５…機器管理システム、１６…コンピュータ。
【図１】
2018036936.tif 000003
【図２】
2018036936.tif 000004
【図３】
2018036936.tif 000005
【図４】
2018036936.tif 000006
【図５】
2018036936.tif 000007
【図６】
2018036936.tif 000008